(57)【要約】【課題】タンクと配管との接続部を、津波の衝撃や津波による流木などの漂流物の衝突から確実に保護することができるタンクの破損防止構造を提供する。【解決手段】タンク本体２とタンク本体２に接続される配管４との接続部４１の周囲に発泡体５が設けられていて、発泡体５は、所定規模以上の津波の発生が予測されると発泡する。発泡体５は、津波計が計測した沖合の津波のデータおよび波浪のデータの少なくとも一方に基づき発泡する。発泡体５は、ウレタン樹脂を材料として形成されていて、所定規模以上の津波の発生が予測されると、発泡剤が添加され発泡剤と反応して発泡する。【選択図】図１
2015205702.tif 000002
【特許請求の範囲】
【請求項１】
タンク本体と該タンク本体に接続される配管との接続部の周囲に発泡体が設けられていて、
該発泡体は、所定規模以上の津波の発生が予測されると発泡することを特徴とするタンクの破損防止構造。
【請求項２】
前記発泡体は、津波計が計測した沖合の津波のデータおよび波浪のデータの少なくとも一方に基づき発泡することを特徴とする請求項１に記載のタンクの破損防止構造。
【請求項３】
前記発泡体は、ウレタン樹脂を材料として形成されていて、所定規模以上の津波の発生が予測されると、発泡剤が添加され該発泡剤と反応して発泡することを特徴とする請求項１又は２に記載のタンクの破損防止構造。
【発明の詳細な説明】
【技術分野】
【０００１】
本発明は、タンクの破損防止構造に関する。
【背景技術】
【０００２】
従来、津波が生じた際に、石油などを備蓄するタンクに津波の衝撃や流木などの漂流物が衝突することによって、タンクが破損しないようにするためのタンクの破損防止構造が知られている。
例えば、特許文献１には、最もタンク本体よりに設けられる開閉弁を囲うとともに、タンク本体に流体を導入する配管およびタンク本体に対して密接配置される保護容器を備え、津波による開閉弁の破損を防止するタンクの破損防止構造が開示されている。
【先行技術文献】
【特許文献】
【０００３】
【特許文献１】特開２０１３‐０２３２７９号公報
【発明の概要】
【発明が解決しようとする課題】
【０００４】
タンクが津波の衝撃を受けたり、津波による流木などの漂流物がタンクに衝突したりすると、タンク本体と配管との接続部のような構造的に弱い部分が破損する可能性が高い。そして、津波が生じた際に、タンク本体と配管との接続部が破損すると、タンク本体の貯蔵物が流出し、海洋汚染や海上火災の虞がある。
このため、タンク本体と配管との接続部を、津波の衝撃や津波による流木などの漂流物の衝突から確実に保護することができるタンクの破損防止構造が望まれている。
【０００５】
そこで、本発明は、タンク本体と配管との接続部を、津波の衝撃や津波による流木などの漂流物の衝突から確実に保護することができるタンクの破損防止構造を提供することを目的とする。
【課題を解決するための手段】
【０００６】
上記目的を達成するため、本発明に係るタンクの破損防止構造は、タンク本体と該タンク本体に接続される配管との接続部の周囲に発泡体が設けられていて、該発泡体は、所定規模以上の津波の発生が予測されると発泡することを特徴とする。
【０００７】
本発明では、タンク本体と配管との接続部の周囲に設けられた発泡体が、所定規模以上の津波の発生が予測されると発泡することにより、所定規模以上の津波が発生した際には、タンク本体と配管との接続部が発泡した発泡剤によって囲繞されるため、発泡した発泡体がクッション材となって、タンク本体と配管との接続部を、津波の衝撃や津波による流木などの漂流物の衝突から保護することができる。
【０００８】
また、本発明に係るタンクの破損防止構造では、前記発泡体は、津波計が計測した沖合の津波のデータおよび波浪のデータの少なくとも一方に基づき発泡する構成としてもよい。
このような構成とすることにより、沖合で発生した津波がタンクに到来するまでに、発泡体を発泡させることができる。
【０００９】
また、本発明に係るタンクの破損防止構造では、前記発泡体は、ウレタン樹脂を材料として形成されていて、所定規模以上の津波の到来が予測されると、発泡剤が添加され、該発泡剤と反応して発泡する構成としてもよい。
このような構成とすることにより、発泡した発泡体がタンク本体と配管との接続部を確実に囲繞することができる。
【発明の効果】
【００１０】
本発明によれば、タンク本体と配管との接続部の周囲に設けられた発泡体が、所定規模以上の津波の発生が予測されると発泡することにより、所定規模以上の津波が発生した際には、タンク本体と配管との接続部が発泡した発泡体によって囲繞されるため、発泡した発泡体がクッション材となって、タンク本体と配管との接続部を津波の衝撃や津波による流木などの漂流物の衝突から保護することができる。これにより、タンク本体と配管との接続部が破損して、タンク本体の貯蔵物が流出することを防止できる。
【図面の簡単な説明】
【００１１】
【図１】本発明の実施形態によるタンクの破損防止構造の一例を示す図で、発泡体が発泡する前の状態を説明する図である。
【図２】発泡体が発泡した後の状態を説明する図である。
【図３】タンク本体が球状体に形成されている場合のタンクの破損防止構造の一例を示す図である。
【発明を実施するための形態】
【００１２】
以下、本発明の実施形態によるタンクの破損防止構造について、図１および図２に基づいて説明する。
図１に示すように、本実施形態によるタンクの破損防止構造１Ａは、石油などの貯蔵物を備蓄するタンク本体２と、タンク本体２へ貯蔵物を供給する配管４との接続部４１の周囲に、発泡体５が設けられている。
タンク本体２は、外形が略円柱状に形成されていて、地盤に支持された基礎３に支持されている。
配管４には、タンク本体２との接続部４１近傍に逆止弁４２が設置されている。
【００１３】
発泡体５は、例えばウレタン樹脂などを材料として形成され、ＬＰガスなどの発泡剤（不図示）が添加されると、この発泡剤と反応して発泡するように構成されている。また、発泡する前の発泡体５は、複数の発泡分割体５１，５１…に分割されていて、これらの発泡分割体５１，５１…は、タンク本体２と配管４との接続部４１において、配管４の周方向に間隔をあけて配置されている。
また、本実施形態による破損防止構造１Ａでは、発泡分割材５１，５１…それぞれに発泡剤を添加する発泡剤添加手段（不図示）が設けられている。
発泡剤添加手段は、例えば、ＬＰガスなどの発泡剤が充填されたスプレー缶などを有し、スプレー缶から発泡分割体５１，５１…に対して発泡剤が噴射されるように構成されていてもよい。また、発泡剤添加手段は、ＬＰガスなどの発泡剤が流通可能な配管を有し、この配管から泡分割体５１，５１…に対して発泡剤が噴射されるように構成されていてもよい。
例えば、タンク本体２が石油化学系のプラントに設けられており、発泡剤がＬＰガスの場合は、ＬＰガスをプラント内で容易に調達できるため、スプレー缶の交換や、配管を介してＬＰガスを泡分割体５１，５１…に対して噴射できる機構の構築を、非常に容易に行うことができる。
【００１４】
そして、これらの発泡分割体５１，５１…は、それぞれに発泡剤添加手段から発泡剤が添加されて、発泡剤と反応して発泡すると、図２に示すように、隣り合う発泡分割体５１，５１どうしが接着し、複数の発泡分割体５１，５１…が一体となってタンク本体２と配管４との接続部４１の周囲を囲繞可能に構成されている。
また、発泡した発泡体５は、弾性変形可能で、衝撃を吸収できるクッション材を構成している。
また、本実施形態では、発泡体５は、発泡剤添加手段から発泡剤が添加され、発泡剤と反応して瞬時に発泡する構成でなくてもよく、発泡体５へ発泡剤を添加する速度や、発泡剤の量は、適宜設定されている。
【００１５】
また、本実施形態では、発泡体５への発泡剤の添加は、津波計が計測した沖合の津波のデータおよび波浪のデータの少なくとも一方に基づき、所定規模以上の津波の発生が予測された際に行われるように構成されている。
このため、本実施形態による破損防止構造１Ａでは、津波計が計測した沖合の津波のデータおよび波浪のデータの少なくとも一方を受信して、受信したデータをもとに発泡剤添加手段を制御する制御部（不図示）が設けられている。
【００１６】
次に、上述したタンクの破損防止構造１Ａの作用・効果について図面を用いて説明する。
上述した本実施形態によるタンクの破損防止構造１Ａでは、タンク本体２と配管４との接続部４１の周囲に設けられた発泡体５が、所定規模以上の津波の発生が予測されると発泡することにより、所定規模以上の津波が発生した際には、タンク本体２と配管４との接続部４１が発泡した発泡体５によって囲繞されるため、発泡した発泡体５がクッション材となって、タンク本体２と配管４との接続部４１を津波の衝撃や津波による流木などの漂流物の衝突から保護することができる。
これにより、タンク本体２と配管４との接続部４１が破損して、タンク本体２の貯蔵物がタンク本体２の外部へ流出することを防止できる。
また、タンク本体２と配管４との接続部４１に設けられた逆止弁４２が破損することも防止できるため、万が一、配管４のタンク本体２との接続部４１から離間した部分が破損したとしても、タンク本体２の貯蔵物がタンク本体２の外部へ大量に流出することを防止できる。
【００１７】
また、発泡体５は、津波計が計測した沖合の津波のデータおよび波浪のデータの少なくとも一方に基づき発泡することにより、沖合で発生した津波がタンクに到来するまでに、発泡体５を発泡させて、発泡した発泡体５でタンク本体２と配管４の接続部４１を囲繞することができる。
また、発泡体５は、ウレタン樹脂を材料として形成されていて、所定規模以上の津波の到来が予測されると、発泡剤が添加され、発泡剤と反応して発泡することにより、発泡した発泡体５がタンク本体２と配管４との接続部４１を確実に囲繞することができる。
【００１８】
以上、本発明によるタンクの破損防止構造の実施形態について説明したが、本発明は上記の実施形態に限定されるものではなく、その趣旨を逸脱しない範囲で適宜変更可能である。
例えば、上記の実施形態では、タンク本体２は、外形が略円柱状に形成されているが、図３に示すタンクの破損防止構造１Ｂように、タンク本体２の外形が略球状に形成されていてもよい。
また、上記の実施形態では、発泡体５は、ウレタン樹脂を材料として形成されていて、ＬＰガスなどの発泡剤が添加されるとこの発泡剤と反応して発泡するように構成されているが、これ以外に、ウレタン樹脂以外を材料として形成されていてもよいし、例えば、水と反応して発泡するように構成されていてもよい。また、発泡体５は、発泡剤を添加する以外に所定の条件となると発泡するように構成されていてもよい。
【００１９】
また、上記の実施形態では、発泡体５は、津波計が計測した沖合の津波のデータおよび波浪のデータの少なくとも一方に基づき発泡するように構成されているが、大津波警報が発令された際に発泡するように構成されていてもよい。
また、上記の実施形態では、発泡体５は、複数の発泡分割体５１，５１…に分割されていて、それぞれが発泡すると、タンク本体２と配管４との接続部４１を囲繞するように構成されているが、これ以外に、例えば、発泡体５がシート状に形成されていて、発泡すると厚さ方向に膨んで所定の厚さを有し、この発泡した発泡体５がタンク本体２と配管４との接続部４１を囲繞するように構成されていてもよい。
【符号の説明】
【００２０】
１Ａ，１Ｂ  タンクの破損防止構造
２  タンク本体
３  基礎
４  配管
５  発泡体
４１  接続部
４２  逆止弁
５１  発泡分割体
【図１】
2015205702.tif 000003
【図２】
2015205702.tif 000004
【図３】
2015205702.tif 000005